(57)【要約】【課題】スペースを削減することができるデジタル計装制御システムを得る。【解決手段】本システムは、オペレーターズキーボード１０と、ディスプレイ１２と、制御部１４とを備える。オペレーターズキーボード１０は、複数のグラフィック画面呼び出しキー２６と、モード切り替えキー２８とを有し、オペレーターに押されたグラフィック画面呼び出しキー２６のキーコードを出力する。制御部１４は、現在のモードを識別するモード識別手段１６と、グラフィック画面呼び出しモードの場合にキーコードに対応するグラフィック画面をディスプレイ１２に表示させるグラフィック画面表示手段１８と、タグ番号入力モードの場合にコード変換表２２を参照してキーコードを対応するＡＮＫコードに変換するコード変換手段２０と、コード変換手段から送られてきたＡＮＫコードに対応するタグ番号をディスプレイ１２に表示させるタグ番号表示手段２４とを有する。【選択図】図１
2010092170.tif 000002
【特許請求の範囲】
【請求項１】
オペレーターの指示を受け付けるオペレーターズキーボードと、
グラフィック画面又はタグ番号を表示するディスプレイと、
前記オペレーターズキーボードからの信号に基づいて前記ディスプレイを制御する制御部とを備え、
前記オペレーターズキーボードは、複数のグラフィック画面呼び出しキーと、グラフィック画面呼び出しモードとタグ番号入力モードを切換えるモード切り替えキーとを有し、前記オペレーターに押された前記グラフィック画面呼び出しキーのキーコードを出力し、
前記制御部は、
現在のモードが前記グラフィック画面呼び出しモードと前記タグ番号入力モードのどちらかを識別するモード識別手段と、
前記グラフィック画面呼び出しモードの場合、前記キーコードに対応するグラフィック画面を前記ディスプレイに表示させるグラフィック画面表示手段と、
前記タグ番号入力モードの場合、前記複数のグラフィック画面呼び出しキーとＡＮＫコードとの対応を予め定義したコード変換表を参照して、前記キーコードを対応するＡＮＫコードに変換するコード変換手段と、
前記コード変換手段から送られてきたＡＮＫコードに対応するタグ番号を前記ディスプレイに表示させるタグ番号表示手段とを有することを特徴とするデジタル計装制御システム。
【請求項２】
前記複数のグラフィック画面呼び出しキーと前記ＡＮＫコードとを前記タグ番号の体系に合わせて対応させていることを特徴とする請求項１に記載のデジタル計装制御システム。
【請求項３】
前記オペレーターズキーボードは、前記複数のグラフィック画面呼び出しキー上に載せられた透明シートを更に有し、
前記透明シートには、前記複数のグラフィック画面の名称と前記ＡＮＫコードの名称がずらして印刷され、
前記透明シートは、前記モード切り替えキーによるモード切り替えと共に移動し、
前記グラフィック画面呼び出しモードにおいて、前記複数のグラフィック画面呼び出しキー上にそれぞれ対応する前記グラフィック画面の名称が位置し、
前記タグ番号入力モードにおいて、前記複数のグラフィック画面呼び出しキー上にそれぞれ対応する前記ＡＮＫコードの名称が位置することを特徴とする請求項１又は２に記載のデジタル計装制御システム。
【発明の詳細な説明】
【技術分野】
【０００１】
本発明は、プラント内に分散配置した制御装置を集中監視・操作する分散型デジタル計装制御システム（DCS: Distributed Control System）に関し、特にスペースを削減することができるデジタル計装制御システムに関するものである。
【背景技術】
【０００２】
ＤＣＳのオペレーターは、オペレーターズキーボードを用いて、所定のプラントのフローを表すグラフィック画面を呼び出したり、タグ番号を入力して所定のタグの詳細情報を見るポイント画面を呼び出したりする。従来は、タグ番号を入力するために、オペレーターズキーボード上にＡＮＫ（Alphabet Numeric Kana）キーを配置するか、又は、通常のパソコンで使われている別のキーボードをオペレーターズキーボードに接続していた。また、光学表示装置を用いてキー配列全体を変えるキーボードも提案されている（例えば、特許文献１参照）。
【０００３】
【特許文献１】特開平５−１５８６０１号公報
【発明の開示】
【発明が解決しようとする課題】
【０００４】
オペレーターズキーボード上にＡＮＫキーを配置する場合、ＡＮＫキ−を配置するスペースを確保するためにキー全体を小さくするか、ＡＮＫキーを他のキーより小さくする必要がある。そのため、オペレーターが操作し難いという問題があった。
【０００５】
また、別のキーボードをオペレーターズキーボードに接続する場合、そのキーボードを置く場所に困る。そして、制御システムではタグ番号は体系化されているが、通常のＡＮＫキーだとアルファベットの配置が分散しているのでタグ番号をスムーズに入力できない。
【０００６】
また、光学表示装置を用いてキー配列全体を変えるキーボードは、乱暴な操作がなされた場合に壊れ易い。そして、タグ番号は体系化されているため、キー配列全体を変える必要も無い。
【０００７】
本発明は、上述のような課題を解決するためになされたもので、第１の目的は、スペースを削減することができるデジタル計装制御システムを得るものである。第２の目的は、タグ番号をスムーズに入力することができるデジタル計装制御システムを得るものである。
【課題を解決するための手段】
【０００８】
本発明は、オペレーターの指示を受け付けるオペレーターズキーボードと、グラフィック画面又はタグ番号を表示するディスプレイと、前記オペレーターズキーボードからの信号に基づいて前記ディスプレイを制御する制御部とを備え、前記オペレーターズキーボードは、複数のグラフィック画面呼び出しキーと、グラフィック画面呼び出しモードとタグ番号入力モードを切換えるモード切り替えキーとを有し、前記オペレーターに押された前記グラフィック画面呼び出しキーのキーコードを出力し、前記制御部は、現在のモードが前記グラフィック画面呼び出しモードと前記タグ番号入力モードのどちらかを識別するモード識別手段と、前記グラフィック画面呼び出しモードの場合、前記キーコードに対応するグラフィック画面を前記ディスプレイに表示させるグラフィック画面表示手段と、前記タグ番号入力モードの場合、前記複数のグラフィック画面呼び出しキーとＡＮＫコードとの対応を予め定義したコード変換表を参照して、前記キーコードを対応するＡＮＫコードに変換するコード変換手段と、前記コード変換手段から送られてきたＡＮＫコードに対応するタグ番号を前記ディスプレイに表示させるタグ番号表示手段とを有することを特徴とするデジタル計装制御システムである。本発明のその他の特徴は以下に明らかにする。
【発明の効果】
【０００９】
本発明により、スペースを削減することができる。そして、タグ番号をスムーズに入力することができる。また、壊れ易いなどの問題も生じない。
【発明を実施するための最良の形態】
【００１０】
図１は、本発明の実施の形態に係るデジタル計装制御システムを示すブロック図である。このシステムは、プラント内に分散配置した制御装置を集中監視・操作する分散型デジタル計装制御システムである。
【００１１】
このシステムは、オペレーターの指示を受け付けるオペレーターズキーボード１０と、グラフィック画面又はタグ番号を表示するディスプレイ１２と、オペレーターズキーボード１０からの信号に基づいてディスプレイ１２を制御する制御部１４とを備える。この制御部１４は、モード識別手段１６と、グラフィック画面表示手段１８と、コード変換手段２０と、コード変換表２２と、タグ番号表示手段２４とを有する。
【００１２】
図２，図３は、本発明の実施の形態に係るオペレーターズキーボードを示す上面図である。オペレーターズキーボード１０は、複数のグラフィック画面呼び出しキー２６と、モード切り替えキー２８と、透明シート３０と、数字キー３２と、制御ループ操作キー３４と、画面操作補助キー３６と、確認キー３８と、取消キー４０と、実行キー４２とを有する。
【００１３】
モード切り替えキー２８は、グラフィック画面呼び出しモードとタグ番号入力モードを切換えるのに用いられる。図２に示すようにモード切り替えキー２８を左にスライドさせるとグラフィック画面呼び出しモードになり、図３に示すように右にスライドさせるとタグ番号入力モードになる。
【００１４】
透明シート３０は、複数のグラフィック画面呼び出しキー２６上に載せられている。この透明シート３０には、複数のグラフィック画面の名称（ｇ１〜ｇ６４）とＡＮＫコードの名称（Ｔ，Ｐ，Ｆ，Ｌ，Ｍ，Ｖ，Ｉ，Ｃ）が、キーの幅より狭い範囲でずらして印刷されている。透明シート３０は、モード切り替えキー２８によるモード切り替えと共に移動する。そして、モード切り替えキー２８を左にスライドさせてグラフィック画面呼び出しモードにすると、図２に示すように、複数のグラフィック画面呼び出しキー２６上にそれぞれ対応するグラフィック画面の名称が位置する。一方、右にスライドさせてタグ番号入力モードにすると、図３に示すように、複数のグラフィック画面呼び出しキー２６上にそれぞれ対応するＡＮＫコードの名称が位置する。
【００１５】
オペレーターがグラフィック画面呼び出しキー２６を押すと、オペレーターズキーボード１０からキーコードが出力される。このキーコードは、本来、対応するグラフィック画面を呼び出すためのコードである。また、モード切り替えキー２８の位置に応じて、オペレーターズキーボード１０からモード信号が出力される。制御部１４のモード識別手段１６は、このモード信号に基づいて、現在のモードがグラフィック画面呼び出しモードとタグ番号入力モードのどちらかを識別する。
【００１６】
グラフィック画面呼び出しモードの場合、キーコードはコード変換されずにグラフィック画面表示手段１８に入力される。そして、グラフィック画面表示手段１８は、入力されたキーコードに対応するグラフィック画面をディスプレイ１２に表示させる。
【００１７】
一方、タグ番号入力モードの場合、コード変換手段２０は、複数のグラフィック画面呼び出しキー２６とＡＮＫコードとの対応を予め定義したコード変換表２２を参照して、キーコードを対応するＡＮＫコードに変換する。そして、タグ番号表示手段２４は、タグ番号入力ウインドウ画面をディスプレイ１２に表示させ、コード変換手段２０から送られてきたＡＮＫコードに対応するタグ番号をディスプレイ１２のタグ番号入力ウインドウ画面に表示させる。
【００１８】
本発明の実施の形態に係るデジタル計装制御システムの効果について参考例と比較しながら説明する。図４は、参考例に係るオペレーターズキーボードを示す上面図である。オペレーターズキーボード１０上には、本実施の形態のモード切り替えキー２８が無く、ＡＮＫ入力用キーボード４４が設けられている。また、複数のグラフィック画面の名称（ｇ１〜ｇ６４）のみが印刷された透明シート４６が、複数のグラフィック画面呼び出しキー２６上に載せられている。この参考例では、オペレーターズキーボード１０上のスペースが限られているため、ＡＮＫ入力用キーボード４４を他のキーより小さくする必要がある。従って、オペレーターが操作し難い。
【００１９】
ここで、オペレーターズキーボード１０には、グラフィック画面を呼び出すグラフィック画面呼び出しキー２６が少なくとも３２個以上ついており、多いものでは１２８個程度ついている。これに対して英字は２６文字しかない。そこで、本実施の形態では、グラフィック画面呼び出しキー２６を英文字の入力にも兼用している。これにより、オペレーターズキーボード１０上にＡＮＫ入力用キーボード４４を設ける必要がないため、スペースを削減することができる。  
【００２０】
また、タグ番号は、ユーザ毎に細かな取り決めは有るものの、通常次のような番号体系になっている。１文字目は、対象の種別を表す英字であり、例えば流量ならＦ、圧力ならＰ、温度ならＴ、バルブならＶである。２、３文字目は、計測識別を表す英字であり、例えば単なる計測だけならインディケータのＩ、制御があるならＣである。４文字目以降は番号を表し、一般的には数値である。通常のＡＮＫキーだとキーの場所が分散しているので、このように体系化されたタグ番号をスムーズに入力できない。
【００２１】
これに対し、本実施の形態では、通常のＡＮＫ入力用キーボード４４のような英文字の配列ではなく、複数のグラフィック画面呼び出しキー２６とＡＮＫコードとをタグ番号の体系に合わせて必要文字数分対応させている。具体的には、図３に示すように、タグ番号の１文字目（Ｔ，Ｐ，Ｆ，Ｌ，Ｍ，Ｖ）をグラフィック画面呼び出しキー２６の左端列に対応させ、タグ番号の２文字目（Ｉ，Ｃ）を１文字めのキーより右側の列に対応させている。これにより、タグ番号をスムーズに入力することができる。従って、オペレーターの労力を削減して生産性を向上させることができる。
【図面の簡単な説明】
【００２２】
【図１】本発明の実施の形態に係るデジタル計装制御システムを示すブロック図である。
【図２】本発明の実施の形態に係るオペレーターズキーボードを示す上面図である。
【図３】本発明の実施の形態に係るオペレーターズキーボードを示す上面図である。
【図４】参考例に係るオペレーターズキーボードを示す上面図である。
【符号の説明】
【００２３】
１０  オペレーターズキーボード
１２  ディスプレイ
１４  制御部
１６  モード識別手段
１８  グラフィック画面表示手段
２０  コード変換手段
２２  コード変換表
２４  タグ番号表示手段
２６  グラフィック画面呼び出しキー
２８  モード切り替えキー
３０  透明シート
【図１】
2010092170.tif 000003
【図２】
2010092170.tif 000004
【図３】
2010092170.tif 000005
【図４】
2010092170.tif 000006